(57)【要約】【課題】遊技盤を構成する各部材の寸法誤差等によらず常時安定して固定可能な遊技盤の固定装置を提供する。【解決手段】固定装置２００は収容枠１０に設けられた枠側構造２１０と、遊技盤２０に設けられた盤側構造２２０とからなる。枠側構造２１０では、収容枠に突出成型された固定支持部２１１にボルト２１３が前後に延びて配設され、レバー収容部２１１ａに前方から固定レバー２１５が螺合されて回動可能に支持される。盤側構造２２０では、レバー部２１５ｃの形状に合わせた係止開口２２５ｂを有する係止受け部２２５が設けられる。固定レバー２１５を解放位置にして係止開口２２５ｂを挿通させ前方に突出したレバー部２１５ｃを回動させると、固定レバー２１５が螺合に応じて回動するとともに後方に移動し、レバー部２１５ｃが係止受け面２２５ｃと係合して遊技盤２０を挟持固定する。【選択図】  図３
2004229893.tif 000002
【特許請求の範囲】
【請求項１】
前面に遊技領域が設けられた遊技盤と、前記遊技盤を所定位置で着脱可能に収容する収容部が設けられた枠部材とを備え、前記遊技領域に遊技球を打ち出して遊技を行うように構成された弾球遊技機において、
前記収容部に前方に突出して設けられた固定支持部と、
前記固定支持部に前後方向に延びて設けられたネジ部と、
後端側が前記ネジ部に螺合され前端側の係止部が前記固定支持部から前方に突出して螺合軸まわりに回動および前後移動が可能に支持された固定部材と、
前記固定部材が所定の解放角度位置にあるときに前記係止部を通過させて前方に突出させる係止開口を有して前記遊技盤に設けられた係止受け部とを備え、
前記固定部材を前記解放角度位置に位置させて前記係止部を前記係止開口を通して前記遊技盤の前面側に突出させ、当該解放角度位置から前記固定部材をネジ締結方向に回動させたときに、前記ネジ部との螺合に応じて前記固定部材が回動しながら後方に移動して前記係止部が前記係止受け部の前面と係合し、前記係止部と前記固定支持部との間に前記係止受け部を挟持して前記遊技盤を前記所定位置で前記収容部に係止保持させることを特徴とする遊技盤の固定装置。
【発明の詳細な説明】
【０００１】
【発明の属する技術分野】
本発明は、前面に遊技領域が設けられた遊技盤と、この遊技盤を着脱可能に収容する枠部材とを備え、遊技領域に遊技球を打ち出して遊技を行うように構成された弾球遊技機に関し、なお詳細には遊技盤を枠部材の所定位置に固定保持する遊技盤の固定装置に関する。
【０００２】
【従来の技術】
上記のような遊技盤と枠部材とを備える弾球遊技機として、パチンコ機、アレンジボール機、雀球遊技機等が一般的に知られている。この種の遊技機の代表としてパチンコ機を例に挙げて説明すると、パチンコ機は外郭方形状の外枠に開閉搭載枠たる前枠が横開き開閉可能にヒンジ結合され、この前枠に所要のゲージ設定で遊技領域が形成された遊技盤が立設姿勢で組み付けられている。遊技盤の前方にはガラス扉が横開き開閉可能に前枠に取り付けられており、常には遊技盤の前面を覆って遊技領域を透視可能に閉鎖保持されている。前枠の下部には遊技球発射装置および操作ハンドルが設けられて遊技領域の所望位置に遊技球を打ち出し得るように構成されており、遊技領域に打ち出した遊技球が遊技領域を落下移動する過程で入賞具に入賞するように操作ハンドルを操作して遊技を行うようになっている。
【０００３】
このような構成のパチンコ機にあって、遊技盤は、パチンコ機の機種変更に対する生産対応の柔軟性を確保し、またいわゆる盤面替えや遊技盤の保守交換等に迅速に対応できるように、遊技盤の主要な形状寸法が共通化されており、一般的に、前枠に遊技盤の外形よりも幾分大きめな枠形状に形成された収容枠に着脱可能に収容され、収容枠に設けられた係止機構によって前枠の所定位置に固定保持されるように構成されている。遊技盤の収容形態としては、遊技盤を前枠の後面側から収容枠に着脱する遊技盤後方着脱形態と、前枠の前面側から収容枠に着脱する遊技盤前方着脱形態とがあり、ともに実用化されている。一方、係止機構には、収容枠に収容された遊技盤を強固に固定保持することが基本的機能として求められるが、着脱操作の容易性や迅速性等も同時に要求される。このため、近年では遊技盤を収容枠に収容して操作レバーを一定の固定角度位置に回動操作したときに遊技盤が前枠の所定位置に固定保持される形態の固定装置、いわゆるレバー回動型の固定装置（施錠装置）が考案されている（特許文献１参照）。
【０００４】
例えば、特許文献１に記載された施錠装置は、上述した遊技盤前方着脱形態のパチンコ機において、収容枠（セット保持枠）の所定位置に設けられた保持部と、この保持部に着脱可能に嵌合セットされて回転可能に支持される施錠具とを備え、これらが収容枠の四隅位置など複数カ所に設けられて構成される。施錠具には前後方向に延びる軸部の後側に収容枠側の保持部に支持される回動支盤が、軸部の前側に指先操作可能な操作部および係合部がともに一体に形成されており、保持部に回動可能に嵌合支持された施錠具を１８０度回動させたときに、軸部から偏心位置にある係合部が遊技盤の前面側に旋回移動して遊技盤側の係合受部と係合し、この係合部と保持部との間に遊技盤を挟持して固定保持するように構成されている。
【０００５】
【特許文献１】
特開２０００−２８８２１５号公報
【０００６】
【発明が解決しようとする課題】
しかしながら、上記のような従来のレバー回動型の固定装置における固定メカニズムを要約すれば、施錠具の係合部を回動軸と直交する面内で旋回移動させ、遊技盤側の係合受部に乗り上げるように係合させて係止する構成であり、遊技盤を挟持する力（以下、固定保持力という）は基本的には合成樹脂製の施錠具を撓み変形させたときに発生する反力を利用しているにすぎない。一方、遊技盤の厚さ寸法や保持部の位置および形状寸法、施錠具の形状寸法など関係各部の寸法関係は一定でなく、また遊技盤の基板材料として一般的に使用される積層合板の反りなどによって複数カ所の係合受部が相対的に異なった前後方向位置に配設される場合も生じる。
【０００７】
このため、遊技盤を固定したときの施錠具の撓み変形量（締めシロ）、換言すれば遊技盤を挟持する固定保持力にばらつきが生じ、施錠具は固定角度位置にあるにも拘わらず固定保持力が不十分で遊技盤にガタツキが発生したり、締めシロが大きすぎて固定角度位置にロック保持できない状況が発生するなど、安定かつ確実な遊技盤の固定保持という面で問題があった。また、合成樹脂製の施錠具に長期間にわたって過大な引っ張り力を作用させておくと、経時変化によって施錠具が永久変形し固定保持力が低下してくる場合もあり、このような場合には施錠具を交換しなければ対処できないという問題も指摘されていた。
【０００８】
本発明はこのような問題に鑑みてなされたものであり、各構成部材の寸法精度のばらつきや組み立て誤差、遊技盤の反りなどがあっても、安定かつ確実に遊技盤を固定保持できるような遊技盤の固定装置を提供することを目的とする。
【０００９】
【課題を解決するための手段】
上記目的達成のため、本発明は、前面に遊技領域が設けられた遊技盤と、この遊技盤を所定位置で着脱可能に収容する収容部が設けられた枠部材（例えば、実施形態における前枠２）とを備え、遊技領域に遊技球を打ち出して遊技を行うように構成された弾球遊技機において、収容部に前方に突出して設けられた固定支持部と、この固定支持部に前後方向に延びて設けられたネジ部と、後端側がネジ部に螺合され前端側の係止部（例えば、実施形態におけるレバー部２１５ｃ）が固定支持部から前方に突出して螺合軸まわりに回動および前後移動が可能に支持された固定部材（例えば、実施形態における固定レバー２１５）と、固定部材が所定の解放角度位置にあるときに係止部を通過させて前方に突出させる係止開口を有して遊技盤に設けられた係止受け部とを備えて遊技盤の固定装置が構成される。そしてこの固定装置では、固定部材を解放角度位置に位置させて係止開口を通して係止部を遊技盤の前面側に突出させ、このように係止部が遊技盤の前面側に突出した解放角度位置から固定部材をネジ締結方向に回動させたときに、ネジ部との螺合に応じて固定部材が回動しながら後方に移動して前端側の係止部が係止受け部の前面と係合し、係止部と固定支持部との間に係止受け部を挟持して遊技盤を所定位置で収容部に係止保持させる。
【００１０】
このような構成の遊技盤の固定装置では、固定部材を解放角度位置に位置させて遊技盤を収容枠に収容させると、固定部材の前端側の係止部が遊技盤の係止受け部に形成された係止開口を通って遊技盤の前面側に突出する。そこで、固定部材をネジ締結方向に回動操作すると、ネジ部との螺合に応じて固定部材が回動しながら後方に移動して係止部が係止受け部の前面と係合し、係止部と固定支持部との間に係止受け部を挟持して遊技盤を所定位置に係止保持させる。このように、本構成の固定装置では、固定部材の係止部が単に旋回移動するのではなく、ネジ部との螺合に応じて回動しながら後方に移動して係止受け部の前面と係合し、以降回動角度位置に応じた押圧力で係止受け部を後方に押圧して挟持固定する構成であり、遊技盤を押圧する固定保持力は基本的にネジ締結力により発生される。このため、固定装置を構成する各部材に寸法精度のばらつきや組み立て誤差、遊技盤の反りなどがあっても、これらをネジピッチに応じた回動角度位置の差異として吸収することができ、これにより遊技盤を安定かつ確実に固定保持させることができる。
【００１１】
【発明の実施の形態】
以下、本発明の好ましい実施形態について、好適な実施例を挙げて添付図面を参照しながら詳細に説明する。なお実施例では、前枠の正面奥部に遊技盤が収容保持された形態のパチンコ機に本発明を適用した場合を主として説明する。
【００１２】
まず、パチンコ機ＰＭの概要構成を図１および図２を参照して要約説明する。ここで、図１はパチンコ機ＰＭのガラス扉５を開放した状態におけるパチンコ機ＰＭの正面図、図２はガラス扉５および遊技盤２０を取り外した状態におけるパチンコ機ＰＭの正面図（ガラス扉５については背面図）である。
【００１３】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１４】
前枠２の前面側には、前枠２の前面域に合わせた方形状のガラス扉５および球皿６が正面左側に設けられたヒンジ機構７ａ，７ｂ，７ｃで横開き開閉および着脱が可能に取り付けられ、正面右側に設けられた施錠装置４および球皿施錠装置を利用して前枠２の前面を覆う閉鎖状態に保持される。球皿６の右側下部には遊技球の発射操作を行う操作ハンドル８が取り付けられている。前枠２の上部には方形枠状の収容枠１０が前枠２と一体に成型されており、この収容枠１０に遊技盤固定装置ＦＳを利用して遊技盤２０が着脱可能に立設保持される。
【００１５】
遊技盤２０は、所定板厚の積層合板の表面にセルを貼り付け、これを所定形状にルーター加工した化粧板（「ベニヤ」とも称される）２１を基板として構成される。化粧板２１の前面側には、上下２分割のレール飾り２２，２３がビス止めされてその内側に略円形の遊技領域ＰＡが区画形成され、この遊技領域ＰＡに多数本の遊技釘とともに風車や各種入賞具２４、遊技の進行状況に応じて所定の図柄を表示させる図柄表示装置２５などの遊技構成部品が取り付けられ、遊技領域ＰＡの下端部には入賞具２４に入賞せずに落下した遊技球を遊技盤２０の裏面側に排出させるアウト口２７が設けられている。
【００１６】
常には遊技盤２０の前面を覆って閉鎖保持されるガラス扉５は、中央に前後連通する窓口開口を有して樹脂成型された扉枠５１の背面側に、前後２枚のガラス板が一体化されたガラスアッセンブリ５２がヒンジ機構５３ａ，５３ｂによって横開き開閉および着脱可能に取り付けられ、ガラス施錠装置５４によってガラス扉５の窓口開口を覆う閉止位置に係止保持されている。また、球皿６の背後に位置する前枠２の下部領域には遊技補助盤と称される補助機構部が形成されており、この遊技補助盤の各部に、操作ハンドル８の回動操作に基づいて遊技盤２０に遊技球を打ち出す遊技球発射装置や、遊技の展開状態に応じて効果音を発生させる音響装置などが設けられている。
【００１７】
前枠２の裏面側には、中央に前後連通する開口を有して前枠２よりもやや小型の方形枠状に形成された裏セット盤３０が着脱可能にセット保持される。裏セット盤３０の各部には、詳細図示省略するが、遊技球を貯留する球貯留タンクや球貯留タンクから供給された遊技球を整列させる整列通路、遊技盤２０における入賞状態等に基づいて遊技球を払い出す球払出装置、球払出装置から払い出された遊技球を球皿６に導く球払出通路などの賞球機構が設けられるとともに、遊技盤２０の裏面側に排出された遊技球を集合させて遊技施設の回収バケットに排出させる排出通路などが設けられている。また裏セット盤３０の裏面側には、電源基盤や主基板などの各種回路基盤および電子部品等が取り付けられ、これらがワイヤーハーネスで接続されて遊技可能に構成される。
【００１８】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が１球ずつ遊技球発射装置に送り出され、遊技球発射装置のハンマにより遊技盤２０の遊技領域ＰＡに打ち出されて、以降パチンコゲームが展開される。
【００１９】
以上のように概要構成されるパチンコ機ＰＭにあって、遊技盤２０は前枠２の前方から収容枠１０に着脱可能に収容され、遊技盤固定装置ＦＳを利用して収容枠１０内の所定位置に固定保持される。
【００２０】
遊技盤固定装置ＦＳは、収容枠１０および遊技盤２０の所定位置に設けられた係止機構２００を主体として構成され、本実施例では、遊技盤２０の固定忘れを防止する固定忘れ防止機構２５０を併設した形態を例示している。ここで、係止機構２００は、収容枠１０側に設けられた枠側係止構造２１０と、遊技盤２０側に設けられた盤側係止構造２２０とからなり、収容枠１０内の所定位置に遊技盤２０を固定保持させるための機構である。また、固定忘れ防止機構２５０は、係止機構２００が未固定状態（係止待機状態）であるときに、これを明確にして遊技盤２０の固定忘れを未然に防止するための機構である。以下、図３〜図１２の各図を参照して係止機構２００から順に説明する。
【００２１】
ここで、図３〜図６の各図には主として係止機構２００の各部の構成を示しており、このうち図３は係止機構２００の主要構成を分解状態で示す斜視図（図では正面右上の係止機構２００を例示している）、図４は係止機構２００を構成する各部材の組み付け関係を分解状態で示す平断面図、図５は係止機構２００における枠側係止構造のレバー部２１５ｃと盤側係止構造の係止受け部２２５との関係を示す平断面図（部分断面図）、図６は係止機構２００を構成する主要部材の単体正面図である。
【００２２】
また、図７〜図１２の各図は係止機構２００によって遊技盤２０を固定保持させる際の各部の位置関係および作用を主として示しており、図７は枠側係止構造２１０と盤側係止構造２２０とを分離状態で示す正面図、図８は遊技盤２０を着脱する際の枠側係止構造２１０と盤側係止構造２２０との関係を示す側断面図、図９は係止機構２００による遊技盤２０の係止状態を示す側断面図、図１０は図９中の矢印Ｘ−Ｘ方向に見た背面図であって（ａ）図は係止待機状態における背面図、（ｂ）図は係止状態における背面図、図１１は係止機構２００による遊技盤の位置決め作用を説明するための係止状態における係止機構２００の平断面図、図１２は係止機構の許容度を説明するための正面図である。なお各図では、平断面図については正面右上の係止構造の断面を、側断面図については正面左上の係止構造の断面をそれぞれ示している。
【００２３】
係止機構２００の配設位置は、遊技盤２０に設けられた遊技領域ＰＡや発射通路の形成位置を考慮して、できるだけ均等に遊技盤２０を固定保持し得るように設定され、実施例では遊技領域ＰＡの外側の上下左右４カ所に設けた例を示している。各係止機構２００は、それぞれ収容枠１０に設けられた枠側係止構造２１０と、遊技盤２０に設けられた盤側係止構造２２０とからなる。
【００２４】
枠側係止構造２１０は、収容枠１０に前方に向けて膨出成型された固定支持部２１１、固定支持部２１１の背面側に形成されたボルト支持部２１２、ボルト支持部２１２に後方から圧入され前方の固定支持部２１１に延びて固定配設されたボルト２１３、後端側がボルト２１３のネジ部に螺合されて回動可能に支持される固定レバー２１５などからなる。
【００２５】
固定支持部２１１は、円筒状のレバー収容部２１１ａと円筒前端に円環状に形成された固定支持面２１１ｃとを有し、収容枠１０に前方に開く有底円筒状に形成されている。レバー収容部２１１ａの内径は、固定レバー２１５の回動軸部２１５ａの外径よりもわずかに大きめに形成されており、レバー収容部２１１ａに前方から回動軸部２１５ａを受容して回動自在に嵌合支持し得るようになっている。固定支持面２１１ｃは平坦に形成された円環状の支持面であり、上下左右の４カ所に設けられた固定支持部の固定支持面２１１ｃが同一面上に形成されて遊技盤１０の支持基準面を形成する。なお、この固定支持面２１１ｃの上下位置に前方に突出するガイドピン２１１ｐを形成することも好ましい実施形態であり、このガイドピン２１１ｐについては後に詳述する。
【００２６】
ボルト支持部２１２は、固定支持部２１１の底部に前後連通して開口された支軸孔２１２ａと、その後方に六角形状で前枠後面に開く頭部収容穴２１２ｃとを有し、収容枠１０に固定支持部２１１と一体に成型されている。支軸孔２１２ａはレバー収容部２１１ａと同軸に位置してボルト２１３の軸部２１３ａの外形よりもわずかに小径に形成されており、後方からボルト２１３が圧入されたときにボルトの軸部２１３ａを締め込むように拘持して、ボルト２１３が前後方向に移動しないように固定保持する。また、頭部収容穴２１２ｃはボルト頭部２１３ｃの六角形状に合わせてこれよりわずかに大きめに形成されており、後方からボルト２１３が圧入されたときにボルト頭部を収容してボルト２１３がボルトの軸部まわりに回動しないように保持する。
【００２７】
ボルト２１３は、軸部２１３ａ、軸部の前方に形成されたネジ部２１３ｂおよび後端部に形成されたボルト頭部２１３ｃを有し、一般に市販されている部分ネジタイプの六角ボルトを用いた例を示しており、固定レバー２１５を回動させたときに回動操作角に対して前後方向移動量が遊技盤２０を着脱固定するのに適したネジ部を有するボルトが用いられる。具体的には、本実施例に示す係止機構２００では、ネジピッチ１〜２ｍｍ程度のメッキボルトないしステンレスボルトを用いている。
【００２８】
ボルト２１３は前枠２の後面側からボルト支持部２１２に圧入され、ボルト前方のネジ部２１３ｂがレバー収容部２１１ａの軸心に位置して前方に延び、ボルト基端側の軸部２１３ａが支軸孔２１２ａに拘持され、ボルト頭部２１３ｃが頭部収容穴２１２ｃに収容されて、ボルト２１３が前後方向に移動したりボルトの軸部まわりに回動したりすることなくボルト支持部２１２に固定保持される。なお頭部収容穴２１２ｃをボルト頭部２１３ｃの形状に合わせた六角形に形成しているため、圧入固定するボルト２１３におけるネジ食い付き部のラジアル方向角度位置を６０度単位で設定する（または６０度の範囲内で略一定の角度位置に配設する）ことが可能である。
【００２９】
固定レバー２１５は、円柱状の回動軸部２１５ａと、この回動軸部２１５ａの軸心に後端側から形成された雌ネジ部２１５ｂ、回動軸部２１５ａの前方に回動軸部２１５ａを挟んで対向方向に張り出し成型されたレバー部２１５ｃなどを主体として構成され、例えば、ＡＢＳ樹脂やポリアセタール樹脂（ＰＯＭ）などの樹脂材料を用いて射出成型等の成形手段で一体に形成される。これにより、レバー部２１５ｃに対する雌ネジ食い付き部の角度位置を一定に形成することができる。なお、必要に応じて樹脂材料にガラス繊維を添加して部材強度を向上させ、または雌ネジ部２１５ｂにコイル状の金属製ネジインサートを挿入し、あるいは雌ネジ部を形成した金属製ブッシュを圧入ないしインサートモールドして補強する形態としてもよい。
【００３０】
また本実施例では、一方のレバー部２１５ｃの基部裏側に回動軸部２１５ａから円周外方に滑らかに張り出し成型された押圧部２１５ｄ、および回動軸部２１５ａの前端部に所定サイズの六角レンチの先端形状に合わせて形成された工具係合穴２１５ｓを設けた例を示している。ここで、押圧部２１５ｄは、対向方向に形成された２カ所のレバー部のうち、一方のレバー部の基部裏側に形成されるが、この押圧部２１５ｄの配設位置を明確化するために指示指標を設けることが好ましく、図では押圧部２１５ｄが形成された側と反対側のレバー部２１５ｃにマーカ２１５ｍを付した例を示している（図１０を参照）。
【００３１】
固定レバー２１５は、回動軸部２１５ａを固定支持部２１１の前方から固定レバー収容部２１１ａに嵌挿し、雌ネジ部２１５ｂをボルト２１３のネジ部２１３ｂに螺合させて所定量ねじ込むことで固定支持部２１１に回動可能に支持される。そしてこのように固定レバー２１５が取り付けられると、固定レバーのレバー部２１５ｃが固定支持面２１１ｃの前方に対向して配設され、雌雄ネジ部の螺合に応じて回動および前後方向に移動可能に配設されて、収容枠１０に枠側係止構造２１０が形成される。
【００３２】
ここで、前述したボルト２１３の圧入時におけるネジ食い込み部の角度設定、および固定レバー２１５の基準的なねじ込み深さは、マーカ２１５ｍの付されたレバー部２１５ｃを鉛直上方に位置させた状態で、レバー部背面の係止面２１５ｒと固定支持面２１１ｃとの前後方向間隔が後述する係止受け部２２５の厚さ寸法Ｈよりもわずかに大きく、この状態から固定レバー２１５をネジ締結方向（正面視時計回り）に９０度締め込んだときに、レバー部背面の係止面２１５ｒと固定支持面２１１ｃとの前後方向間隔が係止受け部２２５の厚さ寸法Ｈと同一寸法〜わずかに小さめになるように設定される。以下の説明では、このように取り付けられた固定レバー２１５を上記のようにマーカ２１５ｍの付されたレバー部２１５ｃが鉛直上方を向くように位置させた角度位置を「解放位置」という。
【００３３】
なお、固定支持面２１１ｃの上下位置にガイドピン２１１ｐを突出成型する場合には、ガイドピン２１１ｐの固定支持面２１１ｃからの突出高さは、係止受け部２２５の厚さ寸法Ｈよりも幾分小さく（例えば、ボルト２１３のネジピッチの１／２程度小さく）設定される。このようなガイドピン２１１ｐを設ける構成とすれば、固定レバー２１５をねじ込んで上記解放位置に設定する際に、上下のレバー部２１５ｃがガイドピン２１１ｐに当接した角度位置からネジを緩める方向に固定レバー２１５を１／２〜１回転させて、マーカ２１５ｍが付されたレバー部２１５ｃを鉛直上方に位置させることで、固定レバー２１５が解放位置に配設される。このため、角度設定用のジグを用いたり作業者の勘に頼ることなく、迅速且つ確実に固定レバー２１５を解放位置にセットすることができる。
【００３４】
以上のように構成される枠側係止構造２１０と位置整合して、遊技盤１０に盤側係止構造２２０が設けられている。盤側係止構造２２０は、化粧板２１に形成された係止受容部２２１と、上下のレール飾り２２，２３に一体成型された係止受け部２２５とを主体として構成される。
【００３５】
係止受容部２２１は、収容枠側の固定支持部２１１の配設位置および形状に合わせて、これより幾分大きめな長孔状ないしＵ字切込み状に化粧板２１の板面を前後貫通してルータ加工することによって形成され、収容枠１０の背面から前方に突出する固定支持部２１１を受容可能に形成されている。
【００３６】
係止受け部２２５は、係止受容部２２１の直前に位置してレール飾２２，２３りの背面から前方に突出する円形フランジ状に形成され、前面側に平坦な係止受け面２２５ｃが設けられている。係止受け面２２５ｃには、固定レバー２１５を解放位置に配設したときのレバー部２１５ｃと相似形態の係止開口２２５ｂが前後連通して形成されている。係止開口２２５ｂは固定レバーの回動軸部２１５ａを挿通させる左右の円弧部とレバー部２１５ｃを挿通させる上下のレバー挿通部とからなり、固定レバー２１５を解放位置にした状態で固定レバーの前方部を前後に挿通可能になっている。
【００３７】
係止受け面２２５ｃの背面側には、係止開口２２５ｂの開口縁部に沿って後方に延びる支持リブ２２５ａが形成されている。支持リブ２２５ａにおける左右の円弧部は、回動軸部２１５ａの外径よりも幾分大きめで、固定支持面２１１ａの円環径に合わせて形成されており、固定レバー２１５を解放位置にして前端のレバー部２１５ｃを挿通させたときに、支持リブ２２５ａの円弧部後端面が固定支持面２１１ａに当接して支持される。すなわち支持リブ２２５ａの後端面が遊技盤２０側の支持基準面（被支持基準面）になっている。
【００３８】
一方、係止受け面２２５ｃと対向するレバー部２１５ｃの背面側には、後方に凸の円弧状に形成された係止面２１５ｒが設けられている（図５を参照）。このため、固定レバー２１５を解放位置にして係止開口２２５ｂを通してレバー部２１５ｃを前方に突出させ、この状態（係止待機状態）から固定レバー２１５をネジ締結方向に回動させたときに、レバー部２１５ｃが係止開口２２５ｂの開口縁部に引っかかることなく回動し、および螺合に応じて後方に移動して、係止面２１５ｒが滑らかに係止受け面２２５ｃと係合する。
【００３９】
また、固定レバー２１５が解放位置に配設された状態では、回動軸部２１５ａに張り出し成型された押圧部２１５ｄが下側のレバー部（マーカ２１５ｍの付されていない側のレバー部）の基部裏側に位置しており、係止開口２２５ｂを通してレバー部２１５ｃを挿通させたときに、押圧部２１５ｄの最大径部分が下側のレバー挿通部にわずかに突出し、その左右において左右の支持リブ２１５ａの内周面と近接した状態で配設される（図１０（ａ）を参照）。
【００４０】
そして、この係止待機状態から固定レバー２１５をネジ締め込み方向（正面視時計回り、図１０では背面方向から見ているため反時計回り）に回動させると、押圧部２１５ｄが左側の支持リブ２２５ａの内周面と係合して係止受け部２２５を正面左方向に押圧する（図１０（ｂ）および図１１を参照）。これにより遊技盤２０が４カ所全ての係止受け部２２５で正面左方向に押圧され、詳細図示省略するが収容枠１０の左側部に形成された側方支持基準面に当接されて位置決め支持されるようになっている。
【００４１】
なお、遊技盤２０の下方に位置する２カ所の係止受け部２２５には、係止受け部２２５の前方を覆う係止受けカバー２２７，２２８がレール飾り２３に横開き開閉可能に取り付けられており、常には閉鎖状態に保持されてガラス扉５の正面側から係止機構２００が視認されないようにするとともに、型式シールや著作権シールの貼り付け面を形成している。
【００４２】
このような係止機構２００を利用して遊技盤２０を収容枠１０に装着固定するには、まず、ガラス扉５を開放して枠側係止構造２１０における４カ所の固定レバー２１５を解放位置に設定しておき、遊技盤２０を前枠２の前方から収容枠１０に収容する。このとき、係止受容部２２１が固定支持部２１１を受容して収容枠内に進入し、支持リブ２２５ａの後端面が固定支持面２１１ｃに当接支持される。また、固定レバーのレバー部２１５ｃが係止開口２２５ｂを通って係止受け面２２５ｃの前方に突出する（図１２（ａ））。
【００４３】
次いで、前方に突出したレバー部２１５ｃを摘んで時計回りに回動させる。すると固定レバー２１５が回動するとともに螺合に応じて後方に移動し、レバー部背面の係止面２１５ｒが係止受け面２２５ｃと滑らかに係合する。そして固定レバー２１５を解放位置から略９０度締め込んだとき（すなわちマーカ２１５ｍの付されたレバー部２１５ｃが正面右９０度の角度位置まで回動されたとき）に、係止面２１５ｒが係止受け面２２５ｃを後方に押圧してレバー部２１５ｃと固定支持面２１１ｃとの間に係止受け部２２５を挟み込むように挟持し、遊技盤２０を前後方向に位置決めして押圧固定する。また正面左側のレバー部２１５ｃの基部裏側に形成された押圧部２１５ｄが締め込み過程において正面左側の支持リブ２２５ａの内周面と係合して遊技盤２０を左方に押圧し、遊技盤２０を左右方向に位置決めして押圧固定する。これにより、遊技盤２０がガタなく収容枠１０に位置決めされ固定保持される（図１２（ａ）→（ｂ））。
【００４４】
なお、係止機構２００では、適切なピッチのネジを適切な角度位置に配設することで、上記のように固定レバー２１５を解放位置から９０度締め込んだときに係止受け部２２５が挟持固定されるように構成するとともに、このような標準固定位置で固定レバー２１５の後端面とレバー収容部２１１ａの底面との間に所定のクリアランスＣＡ（例えばネジ１ピッチ相当のクリアランス）が生じるように固定レバー２１５およびレバー収容部２１１ａを設定している。このため、例えば、使用されるレール飾りによって係止受け部２２５の厚さ寸法に差異やばらつきがあったり、化粧板２１に反りがあった場合、あるいは長期にわたる固定状態によって固定レバーに変形が生じた場合であっても、固定レバーの締め込み角度を調整することでこれらの誤差を吸収することができ、遊技盤２０を確実に固定保持できるようになっている。
【００４５】
例えば、係止受け部２２５の厚さが基準となる厚さよりも薄かった場合や、固定レバーのレバー部２１５ｃが摩耗または変形した場合には、図１２（ｃ）に示すように固定レバー２１５を標準的な右９０度の固定位置を超えて回動させることでレバー部２１５ｃを係合させて挟持固定することができる。逆に係止受け部２２５の厚さが基準となる厚さよりも厚かった場合や、化粧板に反りが生じていた場合には、図１２（ｄ）に示すように固定レバー２１５を標準的な右９０度の固定位置まで回動させない角度位置でレバー部２１５ｃを係合させて挟持固定することができる。
【００４６】
なお、本実施形態では係止受け部２２５をレール飾りに形成し、この係止受け部２２５のみを挟持するように構成することで、化粧板２１に厚さのばらつきがあってもその影響を受けない構成としているが、例えば化粧板２１を含めて挟持させるような形態の場合には、化粧板２１の厚さのばらつきによる誤差を吸収して遊技盤２０を固定保持させることができる。また、固定レバー２１５の締め込みには、必要に応じて固定レバー前端の工具係合穴２１５ｓを利用して六角レンチ等の工具を用いて係止操作を行うこともでき、これによりさらに強固に固定保持させること、および固定レバー２１５を不正に開閉するような悪戯を抑制することが可能である。
【００４７】
以上説明したような係止機構２００によれば、係止受け部２２５の厚さのばらつきや各部材の誤差等によらず確実に遊技盤２０を係止固定できるとともに、遊技盤２０の状態が係止待機状態にあるか固定状態にあるかを固定レバー２１５の角度位置からも目視認識できる。しかしながら、開閉操作すべき固定レバー２１５が複数カ所に点在しており、また着脱作業を急ぐあまり２〜３カ所を固定した段階で固定完了と誤認する場合も生じ得る。このため、本パチンコ機ＰＭにおいては、このような誤認によって遊技盤２０が未固定状態のまま遊技に供されることを未然に防止するため、固定忘れ防止機構２５０を設けている。以下、図９および図１３〜図１５の各図を主として参照しながら固定忘れ防止機構２５０について説明する。
【００４８】
ここで、図１３および図１４は正面右上の係止機構２００と固定忘れ防止機構２５０との関係を示す平断面図であって、図１３は係止機構２００が未固定状態における平断面図、図１４は係止機構２００が固定状態における平断面図、図１５は固定忘れ防止機構２５０の作用を示す平面図である。
【００４９】
各図には固定忘れ防止機構２５０における干渉部材として、干渉突起２５５をガラス扉５に設けた例を示している。干渉突起２５５は、ガラス扉５の裏面側に扉枠５１から後方に突出して設けられており、段付き円柱状の突起部がガラス扉５と一体に成型されている。
【００５０】
干渉突起２５５は、ガラス扉５を閉止させたときにガラス扉の背後に位置して対峙する係止機構２００の位置に合わせて設けられており、ガラス扉５が閉止方向に揺動されときに、解放位置から所定角度締め込まれた係止位置に位置する固定レバー２１５とは干渉しないが、解放位置に位置する固定レバー２１５のレバー部２１５ｃと干渉するように設定されている。すなわち干渉突起２５５は、固定レバー２１５における回動軸部２１５ａの上方または下方に突出するように設けられており、各図に示す固定忘れ防止機構２５０では、正面右上の固定レバー２１５（Ｒ）に対しては回動軸部２１５ａの上方に、正面左上の固定レバー２１５（Ｌ）に対しては回動軸部２１５ａの下方に突出するように配けている。
【００５１】
このため、図９および図１４に、係止機構２００における固定レバー２１５を右９０度の係止位置に位置させて、ガラス扉５を閉止させた状態を示すように、干渉突起２５５は固定レバー２１５と干渉することなく回動軸部２１５ａの上方（正面左上の係止機構については下方）に位置して収容され、ガラス扉５が完全に閉止施錠される。
【００５２】
一方、固定レバー２１５が解放位置にあるときにはレバー部２１５ｃが回動軸部２１５ａの上下に位置しており、図１３に示すように、干渉突起２５５の先端部が固定レバーのレバー部２１５ｃと干渉してガラス扉５を閉止させることができない。さらに、このときのガラス扉５の開き角は、図１５（ａ）（ｂ）に解放位置にある固定レバー２１５の場所とガラス扉５の開き角との関係を示すように、解放位置にある固定レバー２１５の場所によって異なる。すなわち、（ａ）図に示す正面左側の固定レバー２１５（Ｌ）が解放位置にある場合と、（ｂ）図に示す正面左側の固定レバー２１５（Ｌ）は係止状態にあるが正面右側の固定レバー２１５（Ｒ）が解放位置にある場合とでガラス扉５の開き角が異なり、（ａ）図に示す正面左側の固定レバー２１５（Ｌ）が解放位置にある場合の方が開き角が大きい。
【００５３】
このため、遊技盤２０の装着作業を行った作業者は、ガラス扉５が閉止できないことで遊技盤２０が完全には固定されていないことを直ちに理解できるとともに、当該未固定の固定レバー２１５が左右いずれの固定レバー２１５（Ｌ），２１５（Ｒ）であるかをも察知することができる。従って、遊技盤２０の固定忘れを未然に防止して遊技盤２０が不完全な固定状態で遊技に供されることを防止することができる。
【００５４】
なお、上記実施例では、ガラス扉５の背面に干渉突起２５５を設け、固定レバー２１５が解放位置にある状態でガラス扉５を閉止させようとしたときに、干渉突起２５５がレバー部２１５ｃと当接してガラス扉５が閉止できないように構成した例を示したが、固定レバー２１５の前方に係止受けカバー２２７，２２８が設けられているような場合には、例えば、当該係止受けカバーのカバー面に干渉突起２５５が通過可能な突起挿通孔を設けることで上記実施例と同様に構成することができる。また、上記干渉突起２５５と同様の突起部を係止受けカバー２２７，２２８の背面に設け、固定レバー２１５が解放位置にある時には係止受けカバーの突起部が固定レバーのレバー部２１５ｃと当接して閉止されず、これに伴ってガラス扉５が閉止できないように構成してもよい。
【００５５】
また、以上説明した係止機構２００では、固定レバー２１５の前端部に六角形の工具係合穴２１５ｓを設け、六角レンチ等の工具を用いて開閉操作可能な形態を例示したが、図１２（ａ）（ｂ）と同様の係止機構の正面図を図１６（ａ）（ｂ）に示すように、この係合穴を施錠装置４の開錠時に用いる合い鍵で開閉操作可能な形態の鍵係合穴２１５ｔとしてもよい。これにより、遊技盤２０の着脱時に別途工具を準備することなく通常使用する合い鍵を用いて作業を行えるとともに、合い鍵を持たない無権限者による不正操作を有効に防止することができる。
【００５６】
さらに、本実施例では固定支持部２１１に雄ネジ部（ボルト２１３）を設け、固定レバー２１５に雌ネジ部２１５ｂを設けて螺合させる形態を示したが、固定支持部２１１と固定レバー２１５のネジによる螺合形態は雌雄を逆転させた形態であってもよい。すなわち、固定支持部２１１の後部に雌ネジ部を形成し、固定レバー２１５の後端に後方に突出する雄ネジ部を設けてこれらを螺合させる形態としてもよい。この場合、固定レバー２１５に雄ネジ部を設ける手段として、例えば、固定レバーのネジ部２１５ｂにスタッドボルトを植設する構成や、上述したと同様のボルト支持部（２１２）を固定レバーに設けて圧入固定する構成、雄ネジ部が形成された金属部材を固定レバーにインサートモールドあるいは圧入して一体に形成する構成など適宜な手段を用いることができる。
【００５７】
【発明の効果】
以上説明したように、本発明では、遊技盤を収容保持する収容部に設けられた固定支持部と、この固定支持部に前後方向に延びて設けられたネジ部と、後端側がネジ部に螺合され前端側の係止部が固定支持部から前方に突出して回動および前後移動が可能に支持された固定部材と、固定部材が解放角度位置にあるときに係止部を通過させて前方に突出させる係止開口を有して遊技盤に設けられた係止受け部とを備え、固定部材を解放角度位置に位置させて係止開口を通して係止部を遊技盤の前面側に突出させ、固定部材を解放角度位置からネジ締結方向に回動させたときに、ネジ部との螺合に応じて固定部材が回動しながら後方に移動して前端側の係止部が係止受け部の前面と係合し、係止部と固定支持部との間に係止受け部を挟持して遊技盤を所定位置で収容部に係止保持するように遊技盤の固定装置を構成する。
【００５８】
このように、本構成の固定装置では、固定部材の係止部がネジ部との螺合に応じて回動しながら後方に移動して係止受け部の前面と係合し、以降回動角度位置に応じた押圧力で係止受け部を後方に押圧して挟持固定する。このため、固定装置を構成する各部材に寸法精度のばらつきや組み立て誤差、遊技盤の反りなどがあっても、これらを吸収して遊技盤を固定支持させることができ、これにより遊技盤を安定かつ確実に固定保持可能な遊技盤の固定装置を提供することことができる。
【図面の簡単な説明】
【図１】本発明に係る固定装置を備えた遊技機の一例として示すパチンコ機のガラス扉を開放した状態における正面図である。
【図２】ガラス扉および遊技盤を取り外した状態における上記パチンコ機の正面図（ガラス扉については背面図）である。
【図３】本発明に係る固定装置における係止機構の主要構成を分解状態で示す斜視図である。
【図４】係止機構を構成する各部材の組み付け関係を分解状態で示す平断面図である。
【図５】係止機構における枠側係止構造のレバー部と盤側係止構造の係止受け部との関係を示す平断面図（部分断面図）である。
【図６】係止機構を構成する主要部材の単体正面図である。
【図７】枠側係止構造と盤側係止構造とを分離状態で示す正面図である。
【図８】遊技盤を着脱する際の枠側係止構造と盤側係止構造との関係を示す側断面図である。
【図９】係止機構による遊技盤の固定状態を示す側断面図である。
【図１０】図９中の矢印Ｘ−Ｘ方向に見た背面図であって、このうち（ａ）図は係止待機状態における背面図、（ｂ）図は係止状態における背面図である。
【図１１】係止状態における係止機構の平断面図である。
【図１２】係止機構の許容度を説明するための正面図である。
【図１３】未固定状態における係止機構と固定忘れ防止機構との関係を示す平断面図である。
【図１４】固定状態における係止機構と固定忘れ防止機構との関係を示す平断面図である。
【図１５】固定忘れ防止機構の作用を示す平面図である。
【図１６】固定レバー前端に鍵係合穴を設けた実施例を示す正面図である。
【符号の説明】
ＣＡ  クリアランス
ＦＳ  遊技盤固定装置
ＰＡ  遊技領域
ＰＭ  パチンコ機
Ｈ  係止受け部の厚さ寸法
１  外枠
２  前枠
３ａ，３ｂ  ヒンジ機構
４  施錠装置
５  ガラス扉
６  球皿
７ａ，７ｂ，７ｃ  ヒンジ機構
８  操作ハンドル
１０  収容枠
２０  遊技盤
２１  化粧板
２２  上レール飾り
２３  下レール飾り
２４  入賞具
２５  図柄表示装置
２７  アウト口
３０  裏セット盤
５１  扉枠
５２  ガラスアッセンブリ
５３ａ，５３ｂ  ヒンジ機構
５４  ガラス施錠機構
２００  係止機構
２１０  枠側係止構造
２１１  固定支持部
（２１１ａ  レバー収容部、２１１ｃ  固定支持面、２１１ｐ  ガイドピン）
２１２  ボルト支持部
（２１２ａ  支軸孔、２１２ｃ  頭部収容穴）
２１３  ボルト
（２１３ａ  軸部、２１３ｂ  ネジ部、２１３ｃ  ボルト頭部）
２１５  固定レバー
（２１５ａ  回動軸部、２１５ｂ  雌ネジ部、２１５ｃ  レバー部、
２１５ｄ  押圧部、２１５ｍ  マーカ、２１５ｒ  係止面、
２１５ｓ工具係合穴、２１５ｔ  鍵係合穴）
２２０  盤側係止構造
２２１  係止受容部
２２５  係止受け部
（２２５ａ  支持リブ、２２５ｂ  係止開口、２２５ｃ  係止受け面）
２２７  係止受けカバー
２２８  係止受けカバー
２５０  固定忘れ防止機構
２５５  干渉突起
【図１】
2004229893.tif 000003
【図２】
2004229893.tif 000004
【図３】
2004229893.tif 000005
【図４】
2004229893.tif 000006
【図５】
2004229893.tif 000007
【図６】
2004229893.tif 000008
【図７】
2004229893.tif 000009
【図８】
2004229893.tif 000010
【図９】
2004229893.tif 000011
【図１０】
2004229893.tif 000012
【図１１】
2004229893.tif 000013
【図１２】
2004229893.tif 000014
【図１３】
2004229893.tif 000015
【図１４】
2004229893.tif 000016
【図１５】
2004229893.tif 000017
【図１６】
2004229893.tif 000018